(57)【要約】【課題】ユーザにより特定の外部装置に対して特定の操作が要求された場合に、自動的に外部装置を選択して前記操作を行うことができるテレビジョン受像機及び映像表示システムを提供する。【解決手段】ＴＶ受像機１の制御部１１１は、外部装置に対する特定の操作の要求を受け付けたと判定した場合、各装置の処理内容を把握し、操作を行う装置として１つの装置に特定できるか否かを判定する（Ｓ４）。１つの装置を特定できると判定した場合（Ｓ４：ＹＥＳ）、該装置の制御部に操作を指示する（Ｓ１２）。制御部１１１は装置を特定できないと判定した場合（Ｓ４：ＮＯ）、ユーザ選択画面を表示し（Ｓ７）、ユーザより装置の選択を受け付けたか否かを判定し（Ｓ８）、受け付けたと判定した場合（Ｓ８：ＹＥＳ）、該装置の制御部に操作を指示する（Ｓ１２）。【選択図】図４
2010283471.tif 000002
【特許請求の範囲】
【請求項１】
接続された複数の外部装置との間でデータの双方向通信が可能な通信手段と、前記外部装置の一つに対する特定の操作の要求を受け付ける操作要求受付手段とを備えるテレビジョン受像機において、
前記操作要求受付手段が前記要求を受け付けた場合に、各外部装置の現時点の処理の内容を把握する手段と、
該手段により把握した各外部装置の処理の内容に基づいて、該処理を行っている状態から前記操作を行うことが可能な操作可能外部装置を特定する装置特定手段と
を備え、
前記通信手段は、前記装置特定手段により特定した操作可能外部装置に、前記操作を行わせるための信号を送信するように構成されていることを特徴とするテレビジョン受像機。
【請求項２】
前記装置特定手段が操作可能外部装置を特定しなかった場合に、操作可能外部装置の数は２以上であるか否かを判定する判定手段と、
該判定手段により前記数が２以上であると判定された場合に、外部装置を選択させるための表示を行う表示手段と、
表示された外部装置の選択を受け付ける選択受付手段と
を備え、
前記装置特定手段は、選択された外部装置を操作可能外部装置に特定することを特徴とする請求項１に記載のテレビジョン受像機。
【請求項３】
前記判定手段により前記数が２以上でないと判定された場合に、操作可能外部装置がないことを報知する手段を備えることを特徴とする請求項２に記載のテレビジョン受像機。
【請求項４】
遠隔操作する遠隔操作装置を備え、
前記操作要求受付手段は、前記遠隔操作装置から前記要求を受け付けることを特徴とする請求項２又は３に記載のテレビジョン受像機。
【請求項５】
前記遠隔操作装置は表示部を備え、
前記表示手段は、前記表示部に前記表示を行うことを特徴とする請求項４に記載のテレビジョン受像機。
【請求項６】
前記外部装置は、映像及び音声を再生する再生装置、映像及び音声を記録並びに再生する記録装置、セットトップボックス、又はパーソナルコンピュータであることを特徴とする請求項１から５までのいずれか一つに記載のテレビジョン受像機。
【請求項７】
前記処理は、電源停止処理、操作要求があるのを待機している待機処理、記録処理、再生処理、又は映像信号出力処理であることを特徴とする請求項６に記載のテレビジョン受像機。
【請求項８】
前記外部装置は記録装置であり、
前記操作要求受付手段が記録開始の要求を受け付けた場合に、操作可能外部装置として待機中の複数の外部装置があるときに、前記複数の外部装置が有する記録媒体の空き容量、及び記録するデータの量を比較して外部装置を決定する手段を備えることを特徴とする請求項７に記載のテレビジョン受像機。
【請求項９】
請求項１から８までのいずれか一つに記載のテレビジョン受像機と、該テレビジョン受像機とデータの双方向通信が可能に接続された複数の外部装置とを備えることを特徴とする映像表示システム。
【発明の詳細な説明】
【技術分野】
【０００１】
本発明は、複数の外部装置との間で双方向通信することが可能である通信手段を備えるテレビジョン受像機、及び該テレビジョン受像機と複数の外部装置とを備える映像表示システムに関する。
【背景技術】
【０００２】
近年、テレビ放送のデジタル化に伴い、テレビジョン受像機（以下、ＴＶ受像機という）とプレーヤ（再生装置）、レコーダ（録画再生装置）、ＳＴＢ（Set Top Box）等のＡＶ機器、及びＰＣ等の外部装置との接続に、例えばＨＤＭＩ（High-Definition Multimedia Interface：登録商標）端子、ＩＥＥＥ１３９４端子等のデジタル端子を用いることが主流になっている。これらのデジタル端子を利用したＴＶ受像機とＡＶ機器との接続により、映像及び音声のデータのみならず、制御信号（ＨＤＭＩにおけるＣＥＣ、ＩＥＥＥ１３９４におけるＡＶ／Ｃ）も双方向に通信できるのが一般的になっている。そして、ＴＶ受像機のリモコンを用い、デジタル接続したＡＶ機器をＴＶ受像機からの制御信号で制御することにより、ＡＶ機器を容易に操作できるようにしたＴＶ受像機が数多く開発されている。
【０００３】
しかしながら、ＴＶ受像機にレコーダ等のＡＶ機器が複数デジタル接続されている場合にＡＶ機器を操作するためには、ＴＶ受像機のリモコン等の入力切換を行い、ＡＶ機器を選択した後に操作を行うという手順が必要であり、操作が煩雑であるという問題があった。また、ＡＶ機器を操作する前に、毎回ＡＶ機器の選択を行うのを回避するために、現在開発されているＴＶ受像機の中には、録画するＡＶ機器を事前に設定しておくという仕様にしているものもあるが、この場合、ＴＶ受像機において録画開始指示を行うときに、特定のＡＶ機器のみに録画され、他のＡＶ機器で録画処理を行うには設定を変更しなければならないという問題があった。
【０００４】
特許文献１には、ＴＶ受像機がユーザから所定の選局要求を受け付けた場合に、ＴＶ受像機に接続された外部受信機により出力される映像及び音声信号へ入力を切り替え、外部受信機の選局操作を行うように構成することにより、外部受信機の選局操作を容易に行うことができる映像受信システムの発明が開示されている。
【先行技術文献】
【特許文献】
【０００５】
【特許文献１】特開２００４−３０４２２０号公報
【発明の概要】
【発明が解決しようとする課題】
【０００６】
特許文献１の発明は、ＴＶ受像機に複数のＳＴＢが接続されている場合に、従来、ユーザがＴＶ受像機のリモコンの入力切換ボタンを操作し、所望の映像入力に切り換えた後、ＳＴＢのリモコンに持ち替えて該リモコンでチャンネル操作をしていたところ、特定の条件を満たす場合に、自動的に、連続的にチャンネルを切り換えることができるようにしたものである。従って、ＴＶ受像機に複数のレコーダ等のＡＶ機器が接続されている場合に、特定のＡＶ機器に対して特定の操作を行うときに、リモコンで入力を切り換えてＡＶ機器を選択して操作を行わなければならないという問題点は解決されていない。
【０００７】
本発明は、斯かる事情に鑑みてなされたものであり、ユーザにより特定の外部装置に対する特定の操作が要求された場合に、自動的に外部装置を選択して前記操作を行うことができるテレビジョン受像機及び映像表示システムを提供することを目的とする。
【課題を解決するための手段】
【０００８】
本発明に係るテレビジョン受像機は、接続された複数の外部装置との間でデータの双方向通信が可能な通信手段と、前記外部装置の一つに対する特定の操作の要求を受け付ける操作要求受付手段とを備えるテレビジョン受像機において、前記操作要求受付手段が前記要求を受け付けた場合に、各外部装置の現時点の処理の内容を把握する手段と、該手段により把握した各外部装置の処理の内容に基づいて、該処理を行っている状態から前記操作を行うことが可能な操作可能外部装置を特定する装置特定手段とを備え、前記通信手段は、前記装置特定手段により特定した操作可能外部装置に、前記操作を行わせるための信号を送信するように構成されていることを特徴とする。
【０００９】
本発明に係るテレビジョン受像機は、前記装置特定手段が操作可能外部装置を特定しなかった場合に、操作可能外部装置の数は２以上であるか否かを判定する判定手段と、該判定手段により前記数が２以上であると判定された場合に、外部装置を選択させるための表示を行う表示手段と、表示された外部装置の選択を受け付ける選択受付手段とを備え、前記装置特定手段は、選択された外部装置を操作可能外部装置に特定することを特徴とする。
【００１０】
本発明に係るテレビジョン受像機は、前記判定手段により前記数が２以上でないと判定された場合に、操作可能外部装置がないことを報知する手段を備えることを特徴とする。
【００１１】
本発明に係るテレビジョン受像機は、遠隔操作する遠隔操作装置を備え、前記操作要求受付手段は、前記遠隔操作装置から前記要求を受け付けることを特徴とする。
【００１２】
本発明に係るテレビジョン受像機は、前記遠隔操作装置は表示部を備え、前記表示手段は、前記表示部に前記表示を行うことを特徴とする。
【００１３】
本発明に係るテレビジョン受像機は、前記外部装置は、映像及び音声を再生する再生装置、映像及び音声を記録並びに再生する記録装置、セットトップボックス、又はパーソナルコンピュータであることを特徴とする。
【００１４】
本発明に係るテレビジョン受像機は、前記処理は、電源停止処理、操作要求があるのを待機している待機処理、記録処理、再生処理、又は映像信号出力処理であることを特徴とする。
【００１５】
本発明に係るテレビジョン受像機は、前記外部装置は記録装置であり、前記操作要求受付手段が記録開始の要求を受け付けた場合に、操作可能外部装置として待機中の複数の外部装置があるときに、前記複数の外部装置が有する記録媒体の空き容量、及び記録するデータの量を比較して外部装置を決定する手段を備えることを特徴とする。
【００１６】
本発明に係る映像表示システムは、前述のテレビジョン受像機と、該テレビジョン受像機とデータの双方向通信が可能に接続された複数の外部装置とを備えることを特徴とする。
【００１７】
本発明においては、ユーザにより特定の外部装置に対して特定の操作が要求された場合に、自動的に外部装置が選択されるので、ユーザが外部装置を選択して操作を要求する必要がなく、操作性が良好である。
【００１８】
本発明においては、外部装置を一意に特定できない場合に、操作可能な外部装置を表示してユーザの選択を受け付けるので、操作可能な外部装置を確認して、容易に外部装置を選択することができる。
【００１９】
本発明においては、ユーザが遠隔操作装置を用いて操作要求をするように構成しているので、容易に迅速に操作要求を行うことができる。さらに、操作要求を受け付けた場合に、操作が可能な外部装置として複数の外部装置が想定されるときに、遠隔操作装置のタッチパネル等の表示部に選択画面を表示して装置の選択を受け付けるようにすることにより、容易に、迅速に外部装置を選択することができる。
【００２０】
本発明においては、外部装置が記録装置であり、操作要求受付手段が記録開始の要求を受け付けた場合に、操作が可能な外部装置として待機中の複数の外部装置が想定されるときに、複数の外部装置が有する記録媒体の空き容量、及び記録するデータの量を比較して外部装置を決定するので、記録が失敗することなく実行される。
【発明の効果】
【００２１】
本発明によれば、ユーザにより特定の外部装置に対して特定の操作が要求された場合に、自動的に外部装置が選択されるので、ユーザが外部装置を選択し、テレビジョン受像機への入力を切り換えて操作を要求する必要がなく、操作性及び利便性が良好である。
【図面の簡単な説明】
【００２２】
【図１】本発明の実施の形態１に係る映像表示システムの構成を示すブロック図である。
【図２】本発明の実施の形態１に係るリモコンの構成を示すブロック図である。
【図３】本発明の実施の形態１に係るＴＶ受像機の制御部の処理手順、及び外部装置の制御部の処理手順を示すフローチャートである。
【図４】本発明の実施の形態１に係るＴＶ受像機の制御部の処理手順、及び外部装置の制御部の処理手順を示すフローチャートである。
【図５】本発明の実施の形態１の例１に係るＴＶ受像機とレコーダの接続状態、及びレコーダの処理内容を示す説明図である。
【図６】本発明の実施の形態１の例１に係るリモコンを示す一部平面図である。
【図７】本発明の実施の形態１の例２に係るＴＶ受像機とレコーダの接続状態、及びレコーダの処理内容を示す説明図である。
【図８】本発明の実施の形態１の例２に係るリモコンを示す一部平面図である。
【図９】本発明の実施の形態１の例３に係るＴＶ受像機の表示部において選択画面が表示された状態を示す説明図である。
【発明を実施するための形態】
【００２３】
以下、本発明をその実施の形態を示す図面に基づき具体的に説明する。
実施の形態１．
図１は、本発明の実施の形態１に係る映像表示システム１０の構成を示すブロック図である。
映像表示システム１０は、ＴＶ受像機１に、外部装置としての例えばＢＤレコーダ、ＤＶＤレコーダ等のレコーダ（録画機能及び再生機能を有する録画再生装置）３，４，５をそれぞれＨＤＭＩ接続してなる。
ＴＶ受像機１は、アンテナ１０１、チューナ１０２、復調部１０３、ＴＳ（Transport Stream）デコーダ１０４、ＡＶデコーダ１０５、映像合成部１０６、音声出力部１０７、表示部１０８、情報抽出部１０９、制御部１１１、ＯＳＤ生成部１１２、送信部１１３、ＨＤＭＩ  Ｉ／Ｆ１１４、リモコン受信部１１５、及び外部装置管理部１１６を備えている。
【００２４】
チューナ１０２は、アンテナ１０１で受信されたデジタル放送信号を入力され、ユーザがリモコン（装置）２又はＴＶ受像機１の操作部（図示せず）を操作することにより選局したチャンネル、即ち特定の周波数帯の放送信号を復調部１０３へ出力する。復調部１０３は、入力した信号をＭＰＥＧ（Moving Picture Experts Group）−２ＴＳ（Transport Stream）等のデジタルのストリームデータに復調してＴＳデコーダ１０４へ出力する。
ＴＳデコーダ１０４は、入力されたＴＳ信号をデコードし、ＭＰＥＧデータをＡＶデコーダ１０５へ出力し、付加情報を情報抽出部１０９へ出力する。ＡＶデコーダ１０５は、入力されたＭＰＥＧデータを、同期をとりながら映像データと音声データとにＡＶデコードし、音声データを音声出力部１０７へ、映像データを映像合成部１０６へ出力する。情報抽出部１０９は、入力される付加情報の中から番組情報データ、電子番組表データ等を抽出して制御部１１１へ出力する。
【００２５】
制御部１１１は、中央処理装置（ＣＰＵ）、デジタルシグナルプロセッサ（ＤＳＰ）、シーケンサ、及びメモリ１１１ａ等を有し、ＴＶ受像機１の各部を制御し、メモリ１１１ａに記憶されているプログラムに基づいて各種の処理を実行する。メモリ１１１ａにはＯＳＤ情報も記憶されている。
制御部１１１は、ユーザによりＯＳＤの表示が要求された場合、メモリ１１１ａからＯＳＤ情報を読み出し、読み出したＯＳＤ情報をＯＳＤ信号生成部１１２へ出力する。ＯＳＤ信号生成部１１２は入力されたＯＳＤ情報に基づいてＯＳＤ信号を生成する。ＯＳＤ信号生成部１１２は、生成したＯＳＤ信号を映像合成部１０６へ出力する。
映像合成部１０６は、ＡＶデコーダ１０５から入力された映像データ信号とＯＳＤ信号とを合成し、得られた合成映像信号を表示部１０８へ出力する。
【００２６】
表示部１０８は、番組映像、電子番組表、その他の各種の映像を表示する液晶ディスプレイ、プラズマディスプレイパネル（ＰＤＰ：Plasma Display Panel）等のディスプレイを備えている。表示部１０８は、映像合成部１０６から入力された合成映像信号に基づいて、ディスプレイに映像を表示する。
リモコン受信部１１５は、リモコン２からの制御信号を受信して制御部１１１へ与える。
送信部１１３は、ＴＶモードに応じた情報を赤外線、ＩＥＥＥ８０２.１１等を利用してリモコン２へ送信する。
【００２７】
レコーダ３，４，５は、それぞれＨＤＭＩ  Ｉ／Ｆ３０１，４０１，５０１と、制御部３０２，４０２，５０２とを備えている。図中、録画再生のための構成は省略している。レコーダ３，４，５のＨＤＭＩ  Ｉ／Ｆ３０１，４０１，５０１は、ＴＶ受像機１のＨＤＭＩ  Ｉ／Ｆ１１４に、入力ラインａ，ｂ，ｃを介して接続されており、映像信号及び制御信号を双方向に通信できるように構成されている。
【００２８】
ＴＶ受像機１の外部装置管理部１１６はメモリ１１６ａを備えている。メモリ１１６ａには、入力ラインａ，ｂ，ｃにどの外部装置が接続されているかが記憶されている。また、外部装置の処理内容が変化する都度、制御部１１１が外部装置から取得した外部装置の処理内容を記憶するように構成されている。この処理とは、ユーザがリモコン２によりいずれかの外部装置に対する特定の操作を要求した場合に、該操作を行うことが可能である操作前の処理をいう。メモリ１１６ａには、外部装置の処理と、該処理を行っている状態から実行することが可能な操作とを対応付けたテーブルが記憶されている。外部装置が再生装置又は録画装置である場合の処理と可能な操作とを対応付けたテーブルの一例を下記の表１に示す。
【００２９】
【表１】
2010283471.tif 000003
【００３０】
外部装置がＳＴＢ又はＰＣである場合の処理と可能な操作とを対応付けたテーブルの一例を下記の表２に示す。
【００３１】
【表２】
2010283471.tif 000004
【００３２】
図２は、本発明の実施の形態１に係るリモコン２の構成を示すブロック図である。
リモコン２は、リモコン画面に機能ボタンを出現させるタッチパネル２０２、及び各種の入力操作を行うための入力ボタン２０４を有する操作部２０１と、操作部２０１からの出力信号に応じた制御信号をＴＶ受像機１へ送信する送信部２０３と、ＴＶ受像機１から送信されてくる情報を受信する受信部２０５と、操作部２０１等からの信号により各種の制御を行う制御部２０６とを備えている。
【００３３】
以下に、本実施の形態に係る映像表示システム１０を用いて、外部装置の操作処理を行う方法について説明する。
図３及び図４は、ＴＶ受像機１の制御部１１１の処理手順、及び外部装置としてのレコーダ３，４，５の制御部３０２，４０２，５０２の処理手順を示すフローチャートである。
レコーダ３，４，５の制御部３０２，４０２，５０２は、それぞれ前記表１に示す内容の処理が変化したか否かを判定する（Ｓ２１）。処理が変化していないと判定した場合（Ｓ２１：ＮＯ）、この判定を繰り返す。
処理が変化したと判定した場合（Ｓ２１：ＹＥＳ）、処理が変化したことをＣＥＣメッセージ（詳しくはＣＥＣメッセージの１つであるベンダーコマンドをいうが、以下、ＣＥＣメッセージという）によりＴＶ受像機１の制御部１１１へ通知する（Ｓ２２）。
【００３４】
制御部１１１は、処理の変化の通知を受け付けた場合、変化した処理の内容を外部装置管理部１１６のメモリ１１６ａに記憶する（Ｓ１）。
次に、制御部１１１は、ユーザがリモコン２の入力ボタン２０４を押下することによって行う操作要求を受け付けたか否かを判定する（Ｓ２）。操作要求を受け付けていないと判定した場合（Ｓ２：ＮＯ）、この判定を繰り返す。
制御部１１１は、操作要求を受け付けたと判定した場合（Ｓ２：ＹＥＳ）、その時点のレコーダ３，４，５の処理内容をメモリ１１６ａから読み出して把握する（Ｓ３）。
【００３５】
制御部１１１は、要求された操作の内容、及び把握した処理内容に基づき、前記表１のテーブルを参照して、現時点の処理内容から要求された操作を実行することができる装置（レコーダ）を（１つの装置に）特定できるか否かを判定する（Ｓ４）。操作可能な装置を１つの装置に特定できると判定した場合（Ｓ４：ＹＥＳ）、処理をステップＳ１１へ進め、操作可能な装置を特定する。
操作可能な装置を１つの装置に特定できないと判定した場合（Ｓ４：ＮＯ）、操作可能な装置の数は２以上であるか否かを判定する（Ｓ５）。操作可能な装置の数は２以上でない、すなわち操作可能な装置がない（０である）と判定した場合（Ｓ５：ＮＯ）、操作可能装置がないことを表示画面で表示してユーザに報知し（Ｓ１０）、処理をステップＳ２へ戻す。
操作可能な装置の数が２以上であると判定した場合（Ｓ５：ＹＥＳ）、ユーザが要求した操作は、「録画開始」であるか否かを判定する（Ｓ６）。
制御部１１１は、ユーザが要求した操作は「録画開始」でないと判定した場合（Ｓ６：ＮＯ）、リモコン２のタッチパネル２０２に、ユーザにレコーダを選択させるための選択画面を表示させる（Ｓ７）。ここで、ＴＶ受像機１の表示部１０８に前記選択画面を表示することにしてもよい。また、リモコン２がタッチパネルではない表示画面を有しており、該表示画面に選択画面を表示することにしてもよい。
そして、制御部１１１は、ユーザより装置の選択を受け付けたか否かを判定する（Ｓ８）。前記選択を受け付けていないと判定した場合（Ｓ８：ＮＯ）、この判定を繰り返す。タッチパネル２０２による入力操作等により前記選択を受け付けたと判定した場合（Ｓ８：ＹＥＳ）、処理をステップＳ１１へ進め、選択された装置を操作可能な装置に特定する。
【００３６】
ステップＳ６において、ユーザが要求した操作は「録画開始」であると判定した場合（Ｓ６：ＹＥＳ）、操作可能な２以上の装置に装着されている、又は内蔵されているディスクの空き容量、及び録画する映像のデータ量を比較し、前記映像のデータの全量をディスクに録画する装置として、１つの装置に決定することができるか否かを判定する（Ｓ９）。１つの装置に決定できると判定した場合（Ｓ９：ＹＥＳ）、処理をステップＳ１１へ進め、装置を決定して操作可能な装置を特定する。１つの装置に決定できないと判定した場合、すなわち複数のレコーダのディスクの空き容量が等しい場合（Ｓ９：ＮＯ）、処理をステップＳ７へ進める。
【００３７】
上述したようにして、ステップＳ１１において、制御部１１１は操作可能な装置（レコーダ）を特定し、特定されたレコーダの制御部に対し、ＣＥＣメッセージにより、要求された操作を行うように指示する（Ｓ１２）。特定されたレコーダの制御部は、この指示を受け付けて、前記操作を実行し（Ｓ２３）、操作を実行したことをＣＥＣメッセージにより制御部１１１へ通知する（Ｓ２４）。
制御部１１１は、操作の実行の通知を受け付けたか否かを判定する（Ｓ１３）。通知を受け付けていないと判定した場合（Ｓ１３：ＮＯ）、この判定を繰り返す。
制御部１１１は、通知を受け付けたと判定した場合（Ｓ１３：ＹＥＳ）、外部装置の操作処理を終了する。
【００３８】
以下に、具体例を挙げて説明する。
（例１）
図５は、ＴＶ受像機１とレコーダ３，４，５の接続状態、及びレコーダ３，４，５の処理内容を示す説明図である。
レコーダ３，４，５は、上述したように、ＴＶ受像機１に入力ラインａ，ｂ，ｃを介しそれぞれ接続されている。この時点で、レコーダ３，４，５の処理内容は、それぞれ「再生中」、「録画中」、「電源停止」である。ＴＶ受像機１の表示部１０８の表示画面には、レコーダ３の再生映像が表示されている。
図６は、リモコン２を示す一部平面図である。
リモコン２は、図２の入力ボタン２０４として、再生開始ボタン２ａ、早戻し、一時停止、早送り、及び停止のためのボタンからなる再生操作ボタン２ｂ、録画リストを表示するための録画リスト表示ボタン２ｃ、録画ボタン２ｄ、録画停止ボタン２ｅ、電源ボタン２ｆを備えている。
【００３９】
前記表１に示すように、ユーザにより再生操作ボタン２ｂのいずれかのボタンが押下されて操作が要求された場合、再生中のレコーダ３に対し、前記操作を行うことが可能である。ユーザにより録画停止ボタン２ｅが押下されて操作が要求された場合、録画中のレコーダ４に対し、前記操作を行うことが可能である。ユーザにより電源ボタン２ｆが押下されて操作が要求された場合、電源停止状態のレコーダ５に対し、前記操作を行うことが可能である。
【００４０】
上述のステップＳ２において「録画停止」の操作を受け付けた場合、制御部１１１は、ステップＳ４において「録画停止」の操作が可能であるレコーダを検索して、レコーダ４を特定する。そして、制御部１１１は、入力ラインｂを介しレコーダ４の制御部４０２へ録画停止指示信号を送信する（Ｓ１２）。録画停止指示信号を受信した制御部４０２は録画停止の操作を実行して（Ｓ２３）、録画を停止したことを制御部１１１へ通知し（Ｓ２４）、制御部１１１はこの通知を受け付けたと判定した場合（Ｓ１３：ＹＥＳ）、外部装置の操作処理を終了する。
【００４１】
（例２）
図７は、ＴＶ受像機１とレコーダ３，４，５の接続状態、及びレコーダ３，４，５の処理内容を示す説明図である。
レコーダ３，４，５は、ＴＶ受像機１に入力ラインａ，ｂ，ｃを介しそれぞれ接続されている。この時点で、レコーダ３，４，５の処理内容は、それぞれ「録画中」、「録画中」、「電源停止」である。ＴＶ受像機１の表示部１０８の表示画面には、レコーダ３の録画中の映像が表示されている。
図８は、リモコン２を示す一部平面図であり、（ａ）はタッチパネル２０２でユーザ選択画面を表示する前の状態を示す一部平面図、（ｂ）はタッチパネル２０２でユーザ選択画面を表示している状態を示す一部平面図である。図中、図６と同一部分は同一符号を付して詳細な説明を省略する。
【００４２】
ユーザにより、図８（ａ）の録画停止ボタン２ｅが押下された場合、すなわちステップＳ２において「録画停止」の操作を受け付けた場合、制御部１１１は、ステップＳ４において「録画停止」の操作が可能であるレコーダを検索するが、処理内容が「録画中」であるレコーダとしてレコーダ３及び４が存在するので、一意にレコーダを特定することができない。ここで、要求を受け付けた操作は「録画開始」の操作ではないので（Ｓ６：ＮＯ）、ステップＳ７において、制御部１１１はリモコン２のタッチパネル２０２に、ユーザにレコーダを選択させるための選択画面を表示させる。図８（ｂ）に示すように、録画停止ボタン２ｅに隣接するタッチパネル２０２に選択画面２ｇが表示され、入力ａと入力ｂとのいずれかのボタンが指又はペンにより押圧されて、レコーダの選択が受け付けられる。
【００４３】
ここで、ユーザがＴＶ受像機１に表示されているレコーダ３の映像の録画を停止しようとして、ステップＳ２のリモコン２による操作要求を行っていた場合、ユーザは入力ａを選択することになる。制御部１１１は、この選択を受け付けたと判定した場合（Ｓ８：ＹＥＳ）、レコーダ３を操作する装置に決定する。そして、入力ラインａを介しレコーダ３の制御部３０２へ録画停止指示信号を送信する（Ｓ１２）。録画停止指示信号を受信した制御部３０２は録画停止の操作を実行して（Ｓ２３）、録画停止の操作を実行したことを制御部１１１へ通知し（Ｓ２４）、制御部１１１はこの通知を受け付けたと判定した場合（Ｓ１３：ＹＥＳ）、外部装置の操作処理を終了する。
【００４４】
（例３）
ＴＶ受像機１とレコーダ３，４，５の接続状態、及びレコーダ３，４，５の処理内容が例２と同一である場合に、リモコンがタッチパネルを備えていない場合、前記選択画面はＴＶ受像機の表示部１０８において表示される。
図９は、ＴＶ受像機１の表示部１０８において選択画面が表示された状態を示す説明図である。ユーザは、リモコンのキー操作により入力ａ，ｂのいずれかを選択できるように構成されている。
例２と同一の条件下で、ユーザが入力ａを選択した場合、制御部１１１は、この選択を受け付けたと判定し（Ｓ８：ＹＥＳ）、レコーダ３を操作する装置に決定する。そして、入力ラインａを介しレコーダ３の制御部３０２へ録画停止指示信号を送信する（Ｓ１２）。録画停止指示信号を受信した制御部３０２は録画停止の操作を実行して（Ｓ２３）、録画停止の操作を実行したことを制御部１１１へ通知し（Ｓ２４）、制御部１１１はこの通知を受け付けたと判定した場合（Ｓ１３：ＹＥＳ）、外部装置の操作処理を終了する。
【００４５】
（例４）
ＴＶ受像機１とレコーダ３，４，５の接続状態が例１〜３と同様であり、レコーダ３，４，５の処理内容は、それぞれ「録画中」、「録画中」、「待機中」である場合に、ステップＳ２において、制御部１１１が「録画開始」の操作要求を受け付けたとき、ステップＳ４において、レコーダ５が特定される。このとき、制御部１１１は、入力ラインｃを介しレコーダ５の制御部５０２へ録画開始指示信号を送信する（Ｓ１２）。録画開始指示信号を受信した制御部５０２は録画開始の操作を実行して（Ｓ２３）、録画開始の操作を実行したことを制御部１１１へ通知し（Ｓ２４）、制御部１１１はこの通知を受け付けたと判定した場合（Ｓ１３：ＹＥＳ）、外部装置の操作処理を終了する。
【００４６】
（例５）
ＴＶ受像機１とレコーダ３，４，５の接続状態が例１〜４と同様であり、レコーダ３，４，５の処理内容がいずれも「待機中」である場合に、ステップＳ２において、制御部１１１が「録画開始」の操作要求を受け付けたとき、制御部１１１は装置を特定することができない（Ｓ４：ＮＯ）。操作は「録画開始」であるので（Ｓ６：ＹＥＳ）、ステップＳ９において、制御部１１１は各レコーダのディスクの空き容量を各レコーダの制御部から取得し、各空き容量、及び録画を行う映像のデータ量を比較して、１つの装置に決定することができるか否かを判定する。ここで、レコーダ５のディスクのみが必要とされる空き容量を有している場合、レコーダ５が特定される。この場合、制御部１１１は、入力ラインｃを介しレコーダ５の制御部５０２へ録画開始指示信号を送信する（Ｓ１２）。録画開始指示信号を受信した制御部５０２は録画開始の操作を実行して（Ｓ２３）、録画開始の操作を実行したことを制御部１１１へ通知し（Ｓ２４）、制御部１１１はこの通知を受け付けたと判定した場合（Ｓ１３：ＹＥＳ）、外部装置の操作処理を終了する。
空き容量が等しいディスクを有する複数のレコーダがある場合、一意に装置を決定することができないので（Ｓ９：ＮＯ）、ユーザ選択画面を表示する（Ｓ７）。選択を受け付けた場合（Ｓ８：ＹＥＳ）、選択されたレコーダを特定し、該レコーダの制御部へ録画開始信号を送信する（Ｓ１２）。録画開始信号を受信した制御部は録画開始の操作を実行して（Ｓ２３）、録画開始の操作を実行したことを制御部１１１へ通知し（Ｓ２４）、制御部１１１はこの通知を受け付けたと判定した場合（Ｓ１３：ＹＥＳ）、外部装置の操作処理を終了する。
【００４７】
他の実施の形態
ＴＶ受像機１に、３台のレコーダではなく、２台の再生機能のみを有するプレーヤと、１台のレコーダとが接続されている場合、ＴＶ受像機１の制御部１１１は、図３及び図４に示すフローチャートにおいて、２台のプレーヤ、及びレコーダの処理の内容が変化した場合、この処理の変化の通知を受け付け、処理内容を記憶する（Ｓ１）。ステップＳ２において、制御部１１１がユーザより「録画開始」の操作要求を受け付けたとき、各装置の処理内容が「待機中」である場合、「録画開始」の操作が可能である装置はレコーダに特定される（Ｓ４）。このとき、制御部１１１は、レコーダの制御部へ録画開始指示信号を送信し（Ｓ１２）、録画開始指示信号を受信した制御部は録画開始の操作を実行して（Ｓ２３）、録画開始の操作を実行したことを制御部１１１へ通知し（Ｓ２４）、制御部１１１はこの通知を受け付けたと判定した場合（Ｓ１３：ＹＥＳ）、外部装置の操作処理を終了する。
【００４８】
また、ＴＶ受像機１が、レコーダ、ＰＣ、ＳＴＢ各１台と接続されている場合、ＴＶ受像機１の制御部１１１は、図３及び図４に示すフローチャートにおいて、レコーダ、ＰＣ、及びＳＴＢの処理の内容が変化した場合、この処理の変化の通知を受け付け、処理内容を記憶する（Ｓ１）。レコーダ、ＰＣ、ＳＴＢの処理内容が、「録画中」、「映像出力中」、「待機中」である場合に、ステップＳ２において、制御部１１１がユーザより「映像出力開始」の操作要求を受け付けたとき、制御部１１１は、要求された操作の内容、及び処理内容に基づき、前記表１及び表２のテーブルを参照して、操作可能な装置としてＳＴＢを特定する（Ｓ４）。このとき、制御部１１１は、ＳＴＢへ映像出力指示信号を送信し（Ｓ１２）、映像指示出力信号を受信したＳＴＢの制御部は映像出力の操作を実行して（Ｓ２３）、映像出力の操作を実行したことを制御部１１１へ通知し（Ｓ２４）、制御部１１１はこの通知を受け付けたと判定した場合（Ｓ１３：ＹＥＳ）、外部装置の操作処理を終了する。
【００４９】
以上のように、本発明においては、自動的に外部装置が選択されるので、ユーザが外部装置を選択して操作を要求する必要がなく、操作性及び利便性が良好である。
そして、一意に外部装置を特定できない場合に、操作可能な外部装置を表示してユーザの選択を受け付けるので、操作可能な外部装置を確認して、容易に外部装置を選択することができる。
また、リモコン２を用いて操作要求をするように構成した場合には、容易に迅速に操作要求を行うことができる。さらに、操作要求を受け付けた場合に、操作が可能な外部装置の数が２以上であるときに、リモコン２のタッチパネル２０２による入力操作により装置の選択を受け付けるようにすることにより、容易に、迅速に外部装置を選択することができる。
そして、外部装置がレコーダであり、ユーザより録画開始の要求を受け付けた場合に、操作が可能な外部装置の数が２以上であるときに、複数の外部装置が有するディスクの空き容量、及び録画する映像のデータの量を比較して外部装置を特定するので、記録が失敗することなく実行され得る。
【００５０】
なお、前記実施の形態においては、ＴＶ受像機１に３台の外部装置としてのレコーダが接続されている場合につき説明しているが、外部装置の接続台数は３台のレコーダには限定されるものではない。また、外部装置としてのレコーダは録画再生機能を有する場合に限定されるものではなく、録画機能のみを有するものであってもよい。さらに、チューナ１０２はデジタル放送を受信するものには限定されず、アナログ放送を受信するものであってもよい。
そして、前記実施の形態においては、ＴＶ受像機１の制御部１１１が、外部装置の処理が変化する都度、該処理の変化を取得してメモリ１１６ａに処理内容を記憶する場合につき説明しているがこれに限定されるものではない。制御部１１１は、外部装置の操作の要求を受け付けた場合に（Ｓ２：ＹＥＳ）、その時点の各外部装置の処理の内容を各外部装置へ問い合わせて取得し、メモリ１１６ａに記憶することにしてもよい。
さらに、前記実施の形態においては、ＴＶ受像機１と外部装置とがＨＤＭＩ接続される場合につき説明しているがこれに限定されるものではなく、他のマルチメディアインタフェースにより接続することにしてもよい。
【符号の説明】
【００５１】
１  ＴＶ受像機
１０１  チューナ
１０３  復調部
１０４  ＴＤデコーダ
１０５  ＡＶデコーダ
１０６  映像合成部
１０７  音声出力部
１０８  表示部
１０９  情報抽出部
１１１、２０６、３０２、４０２、５０２  制御部
１１１ａ、１１６ａ  メモリ
１１２  ＯＳＤ生成部
１１３  送信部
１１４、３０１、４０１、５０１  ＨＤＭＩ  Ｉ／Ｆ
１１５  リモコン受信部
１１６  外部装置管理部
２  リモコン
２０１  操作部
２０２  タッチパネル
２０３  送信部
２０４  入力ボタン
２０５  受信部
３、４、５  レコーダ
【図１】
2010283471.tif 000005
【図２】
2010283471.tif 000006
【図３】
2010283471.tif 000007
【図４】
2010283471.tif 000008
【図５】
2010283471.tif 000009
【図６】
2010283471.tif 000010
【図７】
2010283471.tif 000011
【図８】
2010283471.tif 000012
【図９】
2010283471.tif 000013